(57)【要約】ワイヤレス通信システム内のフェムトセルと関連付けられた近接情報を更新するためのテクニックが本明細書に記述される。  本明細書に記述される方法の例は、ワイヤレス通信ネットワーク内のロケーションを識別することと、フェムトセルの位置に関する近接情報が維持されるフェムトセルにロケーションを関連付けることと、フェムトセルに対する少なくとも１つの探索を実行することと、少なくとも１つの探索の結果に基づいて、フェムトセルのための維持された近接情報を更新することとを含む。  本明細書に記述される方法の別の例は、フェムトセルに関する近接情報の報告を取得することと、近接情報が関連性を有する１または複数のネットワークデバイスを識別することと、１または複数のネットワークデバイスに近接情報更新シグナリングを通信することとを含む。
2013533662.tif 000002
【特許請求の範囲】
【請求項１】
モバイルワイヤレス通信デバイスであって、
前記デバイスのロケーションを識別するように構成された位置決めモジュールと、
前記位置決めモジュールに通信的に結合されており、フェムトセルのための近接データを維持し、前記フェムトセルを前記デバイスのロケーションに関連付けるように構成された近接性記憶モジュールと、
前記近接性記憶モジュールに通信的に結合されており、前記フェムトセルに対する少なくとも１つの探索を実行し、前記少なくとも１つの探索の結果にしたがって、前記フェムトセルのための維持された前記近接データを更新するように構成された近接性更新モジュールと
を備える、デバイス。
【請求項２】
前記近接性更新モジュールは、前記フェムトセルがＮ回の連続探索で見つからなかった場合に、前記フェムトセルのための維持された前記近接データを破棄するようにさらに構成され、Ｎは正の整数である、請求項１に記載のデバイス。
【請求項３】
前記近接性更新モジュールは、前記フェムトセルが、割り当てられた時間内に前記少なくとも１つの探索を介して見つからなかった場合に、前記フェムトセルのための維持された前記近接データを破棄するようにさらに構成される、請求項１に記載のデバイス。
【請求項４】
前記近接性更新モジュールは、前記フェムトセルの劣化レベルを維持し、前記少なくとも１つの探索の結果にしたがって前記フェムトセルの劣化レベルを更新するようにさらに構成される、請求項１に記載のデバイス。
【請求項５】
前記近接性更新モジュールは、前記フェムトセルの劣化レベルが閾値を超えた場合に、前記フェムトセルのための維持された前記近接データを破棄するようにさらに構成される、請求項４に記載のデバイス。
【請求項６】
前記近接性更新モジュールは、前記フェムトセルの劣化レベルにしたがって決定されたレートで前記フェムトセルに対する探索を実行するようにさらに構成される、請求項４に記載のデバイス。
【請求項７】
前記近接性更新モジュールは、前記フェムトセルが、時間インターバルの期間に実行されるＮ回の連続探索で見つからなかった場合に、前記フェムトセルの劣化レベルを上げるようにさらに構成され、Ｎは正の整数である、請求項４に記載のデバイス。
【請求項８】
前記近接性更新モジュールは、前記フェムトセルが、割り当てられた時間内に前記少なくとも１つの探索を介して見つからなかった場合に、前記フェムトセルの劣化レベルを上げるようにさらに構成される、請求項４に記載のデバイス。
【請求項９】
前記近接性更新モジュールは、受信された近接性更新シグナリングにしたがって前記フェムトセルのための維持された前記近接データを更新するようにさらに構成される、請求項１に記載のデバイス。
【請求項１０】
前記近接性更新モジュールは、前記フェムトセルのための維持された前記近接データの少なくとも一部が、関連するワイヤレス通信ネットワークに送信されるスケジュールを変更するようにさらに構成される、請求項１に記載のデバイス。
【請求項１１】
フェムトセル近接性管理システムであって、
フェムトセルに関する近接データ報告を取得するように構成された受信機と、
前記近接データ報告が関連性を有する１または複数のネットワークユーザを識別するように構成されたユーザ選択モジュールと、
前記受信機に通信的に結合されており、前記近接データ報告に基づいて近接データ更新シグナリングを生成するように構成されたシグナリング生成器モジュールと、
前記ユーザ選択モジュールおよび前記シグナリング生成器モジュールに通信的に結合されており、前記近接データ更新シグナリングを、前記ユーザ選択モジュールによって識別された前記１または複数のネットワークユーザに送信するように構成された送信機と
を備える、システム。
【請求項１２】
前記ユーザ選択モジュールは、前記フェムトセルのアクセス制限に基づいて前記近接データ報告が関連性を有する前記１または複数のネットワークユーザを識別するようにさらに構成される、請求項１１に記載のシステム。
【請求項１３】
前記送信機は、前記フェムトセルに関するさらなる情報の送信内で、前記近接データ更新シグナリングを送信するようにさらに構成される、請求項１１に記載のシステム。
【請求項１４】
前記送信機は、割り付けられた時間量の終了、または、前記フェムトセルと関連付けられた近接データの変更のうちの少なくとも１つに応じて前記近接データ更新シグナリングを送信するようにさらに構成される、請求項１１に記載のシステム。
【請求項１５】
モバイルワイヤレス通信デバイスであって、
フェムトセルのための近接データを維持するように構成された近接性記憶モジュールと、
前記フェムトセルに関する近接データ更新シグナリングを取得するように構成された受信機と、
前記近接性記憶モジュールおよび前記受信機に通信的に結合されており、前記近接データ更新シグナリングに基づいて前記フェムトセルのための前記近接データを更新するように構成された近接性更新モジュールと
を備える、デバイス。
【請求項１６】
前記近接性記憶モジュールに通信的に結合されており、１または複数のフェムトセルに関する近接データを、ワイヤレス通信ネットワーク内の近接情報管理エンティティまたは前記ワイヤレス通信ネットワーク内のサービングセルに報告するように構成された送信機をさらに備える、請求項１５に記載のデバイス。
【請求項１７】
前記受信機は、前記近接データ更新シグナリングが組み込まれている制御シグナリングを受信するようにさらに構成される、請求項１５に記載のデバイス。
【請求項１８】
前記近接性更新モジュールは、前記フェムトセルに対する少なくとも１つの探索を実行し、前記少なくとも１つの探索の結果にしたがって、前記フェムトセルのための維持された前記近接データを更新するようにさらに構成される、請求項１５に記載のデバイス。
【請求項１９】
方法であって、
ワイヤレス通信ネットワーク内のロケーションを識別することと、
前記ロケーションを、フェムトセルの位置に関する近接情報が維持される前記フェムトセルと関連付けることと、
前記フェムトセルに対する少なくとも１つの探索を実行することと、
前記少なくとも１つの探索の結果に基づいて、前記フェムトセルのための維持された前記近接情報を更新することと
を備える方法。
【請求項２０】
前記更新することは、前記フェムトセルが前記少なくとも１つの探索のうちの１または複数で見つからなかった場合に、前記フェムトセルのための維持された前記近接情報を破棄することを備える、請求項１９に記載の方法。
【請求項２１】
前記実行することは、近接探索期間のインターバルで前記フェムトセルの探索を実行することを備え、前記更新することは、前記フェムトセルがＮ回の連続探索で見つからなかった場合に、前記フェムトセルのための維持された前記近接情報を破棄することをさらに備え、Ｎは、正の整数である、請求項２０に記載の方法。
【請求項２２】
前記更新することは、前記フェムトセルが、割り当てられた時間インターバル内に前記少なくとも１つの探索を介して見つからなかった場合に前記フェムトセルのための維持された前記近接情報を破棄することをさらに備える、請求項２０に記載の方法。
【請求項２３】
前記更新することは、
前記フェムトセルの劣化レベルを維持することと、
前記フェムトセルが前記少なくとも１つの探索のうちの１または複数で見つからなかった場合に、前記フェムトセルの劣化レベルを上げることとを備える、請求項１９に記載の方法。
【請求項２４】
前記実行することは、前記フェムトセルの劣化レベルにしたがって決定されたレートで前記フェムトセルに対する探索を実行することを備える、請求項２３に記載の方法。
【請求項２５】
前記更新することは、前記フェムトセルの劣化レベルが割り付けられた劣化閾値を超える場合に、前記フェムトセルのための維持された前記近接情報を破棄することをさらに備える、請求項２３に記載の方法。
【請求項２６】
前記実行することは、近接探索期間のインターバルで前記フェムトセルの探索を実行することを備え、前記更新することは、前記フェムトセルがＮ回の連続探索で見つからなかった場合に、前記フェムトセルの劣化レベルを上げることをさらに備え、Ｎは、正の整数である、請求項２３に記載の方法。
【請求項２７】
前記更新することは、前記フェムトセルが、割り当てられた時間インターバル内に前記少なくとも１つの探索を介して見つからなかった場合に、前記フェムトセルの劣化レベルを上げることをさらに備える、請求項２３に記載の方法。
【請求項２８】
前記近接情報は、衛星測位システム座標、セル識別子、デバイスアドレス、媒体アドレス制御（ＭＡＣ）アドレス、観察された信号強度、セルラ、テレビ、または無線システムのうちの少なくとも１つの観察された信号対ノイズ比、観察されたキャリア周波数、または、関連する無線アクセステクノロジのうちの少なくとも１つを備える、請求項１９に記載の方法。
【請求項２９】
前記ワイヤレス通信ネットワークから受信にされた更新情報に基づいて、前記フェムトセルのための維持された前記近接情報を更新することをさらに備える、請求項１９に記載の方法。
【請求項３０】
前記更新することは、前記フェムトセルのための維持された前記近接情報の少なくとも一部が、前記ワイヤレス通信ネットワークに送信されるスケジュールを変更することをさらに備える、請求項１９に記載の方法。
【請求項３１】
方法であって、
フェムトセルに関する近接情報の報告を取得することと、
前記近接情報が関連性を有する１または複数のネットワークデバイスを識別することと、
近接情報更新シグナリングを前記１または複数のネットワークデバイスに通信することと
を備える方法。
【請求項３２】
前記取得することは、モバイルデバイス、前記フェムトセル、フェムトセル管理システム、または、フェムトセルゲートウェイのうちの少なくとも１つから前記報告を取得することを備える、請求項３１に記載の方法。
【請求項３３】
前記識別することは、前記フェムトセルのアクセス制限に基づいて、前記１または複数のネットワークデバイスを識別することを備える、請求項３１に記載の方法。
【請求項３４】
前記通信することは、前記フェムトセルに関するさらなる情報の送信内で、前記近接情報更新シグナリングを通信することを備える、請求項３１に記載の方法。
【請求項３５】
前記通信することは、接続モードで動作する前記１または複数のネットワークデバイスのうちの１つに、前記近接情報更新シグナリングを通信することをさらに備える、請求項３４に記載の方法。
【請求項３６】
前記通信することは、送信期間または前記フェムトセルに関するパラメータの変更のうちの少なくとも１つに基づいて、前記近接情報更新シグナリングを通信することを備える、請求項３１に記載の方法。
【請求項３７】
方法であって、
近接情報が維持されるワイヤレス通信ネットワーク内のフェムトセルを識別することと、
前記フェムトセルに関する近接情報更新シグナリングを受信することと、
前記近接情報更新シグナリングに基づいて、前記フェムトセルのための維持された前記近接情報を更新することと
を備える方法。
【請求項３８】
１または複数のフェムトセルに関する近接情報を、前記ワイヤレス通信ネットワーク内の近接情報管理エンティティに報告することをさらに備える、請求項３７に記載の方法。
【請求項３９】
１または複数のフェムトセルに関する近接情報を、前記ワイヤレス通信ネットワーク内のサービングセルに報告することをさらに備える、請求項３７に記載の方法。
【請求項４０】
前記受信することは、前記ワイヤレス通信ネットワークから制御シグナリングの送信に組み込まれた前記近接情報更新シグナリングを受信することを備える、請求項３７に記載の方法。
【請求項４１】
モバイルワイヤレス通信デバイスであって、
前記デバイスのロケーションを識別するための手段と、
フェムトセルのための近接データを維持するための手段と、
前記フェムトセルを、前記デバイスのロケーションと関連付けるための手段と、
前記フェムトセルに対する少なくとも１つの探索を実行するための手段と、
前記少なくとも１つの探索の結果にしたがって、前記フェムトセルのための維持された近接データを更新するための手段と
を備えたデバイス。
【請求項４２】
前記更新するための手段は、複数のイベントからの少なくとも１つの選択されたイベントに応じて、前記フェムトセルのための維持された前記近接データを破棄するように構成され、前記複数のイベントは、Ｎを正の整数として、前記フェムトセルがＮ回の探索で見つからないこと、および、前記フェムトセルが割り付けられた時間内に見つからないことを備える、請求項４１に記載のデバイス。
【請求項４３】
前記更新するための手段は、前記フェムトセルの劣化レベルを維持し、前記少なくとも１つの探索の結果にしたがって前記フェムトセルの劣化レベルを更新するようにさらに構成される、請求項４１に記載のデバイス。
【請求項４４】
前記更新するための手段は、複数のイベントからの少なくとも１つの選択されたイベントに応じて、前記フェムトセルの劣化レベルを上げるように構成され、前記複数のイベントは、Ｎを正の整数として、前記フェムトセルがＮ回の探索で見つからないこと、および、前記フェムトセルが割り付けられた時間内に見つからないことを備える、請求項４３に記載のデバイス。
【請求項４５】
前記更新するための手段は、前記フェムトセルの劣化レベルが閾値を超えた場合に、前記フェムトセルのための維持された前記近接データを破棄すること、あるいは、前記実行するための手段が前記フェムトセルを探索するレートを減らすことのうちの少なくとも１つを実行するように構成される、請求項４３に記載のデバイス。
【請求項４６】
フェムトセル近接性管理システムであって、
フェムトセルに関する近接データ報告を受信するための手段と、
前記近接データ報告が関連性を有する１または複数のネットワークデバイスを識別するための手段と、
前記近接データ報告に基づいて近接データ更新シグナリングを生成するための手段と、
前記識別するための手段によって識別された前記１または複数のネットワークデバイスに、前記近接データ更新シグナリングを送信するための手段と
を備えるシステム。
【請求項４７】
前記送信するための手段は、前記フェムトセルに関するさらなる情報の送信内で、前記近接データ更新シグナリングを送信するようにさらに構成される、請求項４６に記載のシステム。
【請求項４８】
前記送信するための手段は、割り付けられた時間量の終了、または、前記フェムトセルと関連付けられた近接データの変更のうちの少なくとも１つに応じて前記近接データ更新シグナリングを送信するように構成される、請求項４６に記載のシステム。
【請求項４９】
モバイルワイヤレス通信デバイスであって、
フェムトセルのための近接データを維持するための手段と、
前記フェムトセルに関する近接データ更新シグナリングを受信するための手段と、
前記近接データ更新シグナリングに基づいて、前記フェムトセルのための前記近接データを更新するための手段と
を備えるデバイス。
【請求項５０】
前記受信するための手段は、前記近接データ更新シグナリングが組み込まれている制御シグナリングを受信するように構成される、請求項４９に記載のデバイス。
【請求項５１】
非一時的なプロセッサ可読媒体上に存在し、プロセッサ可読命令を備える、コンピュータプログラムプロダクトであって、
前記プロセッサ可読命令は、プロセッサに、
ワイヤレス通信ネットワーク内のロケーションを識別させ、
前記ロケーションを、フェムトセルの位置についての近接情報が維持される前記フェムトセルと関連づけさせ、
前記フェムトセルに対する少なくとも１つの探索を実行させ、
前記少なくとも１つの探索の結果に基づいて前記フェムトセルのための維持された前記近接情報を更新させるように構成される、
コンピュータプログラムプロダクト。
【請求項５２】
前記プロセッサに、更新させるように構成された命令は、前記プロセッサに、複数のイベントからの少なくとも１つの選択されたイベントに応じて、前記フェムトセルのための維持された前記近接データを破棄させるように構成され、前記複数のイベントは、Ｎを正の整数として、前記フェムトセルがＮ回の探索で見つからないこと、および、前記フェムトセルが割り付けられた時間内に見つからないことを備える、請求項５１に記載のコンピュータプログラムプロダクト。
【請求項５３】
前記プロセッサに、更新させるように構成された命令は、前記プロセッサに、前記フェムトセルの劣化レベルを維持させ、前記少なくとも１つの探索の結果にしたがって、前記フェムトセルの劣化レベルを更新させるように構成される、請求項５１に記載のコンピュータプログラムプロダクト。
【請求項５４】
前記プロセッサに、更新させるように構成された命令は、前記プロセッサに、前記フェムトセルの劣化レベルが閾値を超えた場合に、前記フェムトセルのための維持された近接データを破棄させるか、あるいは、前記実行するための手段が前記フェムトセルを探索するレートを減らさせるように構成される、請求項５３に記載のコンピュータプログラムプロダクト。
【請求項５５】
非一時的なプロセッサ可読媒体上に存在し、プロセッサ可読命令を備える、コンピュータプログラムプロダクトであって、
前記プロセッサ可読命令は、前記プロセッサに、
フェムトセルに関する近接情報の報告を取得させ、
前記近接情報が関連性を有する１または複数のネットワークデバイスを識別させ、
近接情報更新シグナリングを前記１または複数のネットワークデバイスに通信させる
ように構成される、
コンピュータプログラムプロダクト。
【請求項５６】
前記プロセッサに、通信させるように構成された命令は、前記プロセッサに、前記フェムトセルに関するさらなる情報の送信内で前記近接情報更新シグナリングを送信させるように構成される、請求項５５に記載のコンピュータプログラムプロダクト。
【請求項５７】
前記プロセッサに、通信させるように構成された命令は、割り付けられた時間量の終了、または、前記フェムトセルと関連付けられた近接情報の変更のうちの少なくとも１つに応じて、前記プロセッサに、前記近接情報更新シグナリングを送信させるように構成される、請求項５５に記載のコンピュータプログラムプロダクト。
【請求項５８】
非一時的なプロセッサ可読媒体上に存在し、プロセッサ可読命令を備える、コンピュータプログラムプロダクトであって、
前記プロセッサ可読命令は、前記プロセッサに、
近接情報が維持されるワイヤレス通信ネットワーク内のフェムトセルを識別させ、
前記フェムトセルに関する近接情報更新シグナリングを受信させ、
前記近接情報更新シグナリングに基づいて、前記フェムトセルのための維持された前記近接情報を更新させる
ように構成された、
コンピュータプログラムプロダクト。
【請求項５９】
前記プロセッサに、受信させるように構成された命令は、前記プロセッサに、前記近接情報更新シグナリングを組み込んだ制御シグナリングを受信させるように構成される、請求項５８に記載のコンピュータプログラムプロダクト。
【発明の詳細な説明】
【関連出願の相互参照】
【０００１】
本願は、全ての目的のために全体が参照によってここに組み込まれている、アトーニ・ドケット番号１０１６３４Ｐ１の、「アクセスポイント基地局に関連付けられた近接情報更新することを容易にする方法および装置(METHOD AND APPARATUS THAT FACILITATES UPDATING PROXIMITY INFORMATION ASSOCIATED WITH ACCESS POINT BASE STATIONS)」と題され、２０１０年５月１４日に出願された米国仮特許出願第６１／３３４,９３４号の優先権を主張する。
【背景】
【０００２】
ワイヤレス通信デバイスは今日の社会において非常に普及している。例えば、人々は、無数のロケーションからデータをワイヤレスで送受信するためにセルラ電話、スマートフォン、携帯情報端末、ラップトップコンピュータ、ページャ、タブレットコンピュータ等を使用する。さらに、ワイヤレス通信テクノロジの進歩には、今日のワイヤレス通信デバイスの多様性を大きく増加させ、それによって、ユーザは、従来複数のデバイスまたは大型の非ポータブル機器のいずれかを要求した広範囲のタスクを、単一のポータブルデバイスから実行できるようなった。
【０００３】
モバイルデバイスは、対応する地理的エリアに対して通信カバレッジを提供するネットワークセルのシステムを介してセルラ通信環境内で通信する。そのようなネットワークは、従来、実質的に広い地理的エリア（例えば、半径２ｋｍ以上をカバーする等）に対して通信カバレッジを提供するマクロセルを含む。ビルまたは別の室内エリアに対応するエリアのような、より制限されたエリアに対するネットワークカバレッジおよび容量を改善するために、フェムトセル(femtocells)などのより小さいスケールのセルが用いられうる。フェムトセルは、ブロードバンド接続（例えば、デジタル加入者回線（ＤＳＬ）、ケーブル、光ファイバ等）を介して関連通信ネットワークに接続し、フェムトセルのカバレッジエリア内の限られた数のデバイスへの通信ネットワークのカバレッジを拡張する。
【０００４】
従来の近接性ベースのフェムトセル探索(proximity-based femtocell search)において、モバイルデバイスは、それが遭遇するアクセス可能なフェムトセルの近接性を記憶する。この記憶された近接性に基づいて、モバイルデバイスは、このデバイスがフェムトセルの近接に戻った際に、そのフェムトセルの探索を開始する。しかしながら、記憶されたフェムトセルの近接性は劣化(obsolete)する可能性があり、結果として、フェムトセルの再配置、遮断等がなされた場合、もはや有効ではない。さらに、モバイルデバイスは前に訪問したことがあるフェムトセルについての近接情報（proximity information）しか記憶しないため、このモバイルデバイスは、新しいフェムトセルの探索および位置決め(locating)にかなりのリソースを利用する可能性がある。さらに、モバイルデバイスは、そのような無効な近接情報をその関連ネットワークに報告するように構成されている可能性があり、これは、ネットワークの容量に悪影響を及ぼしうる。
【発明の概要】
【０００５】
モバイルワイヤレス通信デバイスの例は、デバイスのロケーションを識別するように構成された位置決めモジュール(positioning module)と、この位置決めモジュールに通信的に結合されており、フェムトセルのための近接データ(proximity data)を維持し、かつ、デバイスのロケーションとフェムトセルを関連付けるように構成された近接性記憶モジュール(proximity store module)と、この近接性記憶モジュールに通信的に結合されており、フェムトセルに対する少なくとも１つの探索を実行し、少なくとも１つの探索の結果にしたがって、フェムトセルのための維持された近接データを更新するように構成された近接性更新モジュール(proximity update module)と、を含む。
【０００６】
デバイスのインプリメンテーション(Implementations)は、以下の特徴のうちの１または複数を含みうる。近接性更新モジュールは、さらに、Ｎを正の整数として、フェムトセルがＮ回の連続探索で見つからなかった場合に、フェムトセルのための維持された近接データを破棄するように構成される。近接性更新モジュールは、フェムトセルが、割り付けられた時間内に少なくとも１つの探索を介して見つからなかった場合にフェムトセルのための維持された近接データを破棄するようにさらに構成される。近接性更新モジュールは、さらに、フェムトセルの劣化レベル（obsoleteness level）を維持し、少なくとも１つの探索の結果にしたがってフェムトセルの劣化レベルを更新するように構成される。近接性更新モジュールは、フェムトセルの劣化レベルが閾値を超えた場合に、フェムトセルのための維持された近接データを破棄するようにさらに構成される。近接性更新モジュールは、フェムトセルの劣化レベルにしたがって決定されたレートでフェムトセルの探索を実行するようにさらに構成される。近接性更新モジュールは、さらに、Ｎを正の整数として、時間インターバルの期間に実行されるＮ回の連続探索でフェムトセルが見つからなかった場合にフェムトセルの劣化レベルを上げるように構成される。近接性更新モジュールは、さらに、割り付けられた時間内に少なくとも１つの探索を介してフェムトセルが見つからなかった場合にフェムトセルの劣化レベルを上げるように構成される。近接性更新モジュールは、受信された近接性更新シグナリング(received proximity update signaling)にしたがってフェムトセルのための維持された近接データを更新するようにさらに構成される。近接性更新モジュールは、フェムトセルのための維持された近接データの少なくとも一部が、関連ワイヤレス通信ネットワークに送信されるスケジュールを変更するようにさらに構成される。
【０００７】
フェムトセル近接性管理システムの例は、フェムトセルに関する近接データ報告を取得するように構成された受信機と、近接データ報告が関連性を有する(is relevant)１または複数のネットワークユーザを識別するように構成されたユーザ選択モジュールと、受信機に通信的に結合されており、近接データ報告に基づいて近接データ更新シグナリングを生成するように構成されたシグナリング生成器モジュール(signaling generator module）と、ユーザ選択モジュールおよびシグナリング生成器モジュールに通信的に結合されており、ユーザ選択モジュールによって識別された１または複数のネットワークユーザに近接データ更新シグナリングを送信するように構成された送信機と、を含む。
【０００８】
システムのインプリメンテーションは、以下の特徴のうちの１または複数を含みうる。ユーザ選択モジュールは、フェムトセルのアクセス制限に基づいて、近接データ報告が関連性を有する１または複数のネットワークユーザを識別するようにさらに構成される。送信機は、フェムトセルに関するさらなる情報の送信内で、近接データ更新シグナリングを送信するようにさらに構成される。送信機は、割り付けられた時間量の終了、または、フェムトセルと関連付けられた近接データの変更のうちの少なくとも１つに応じて近接データ更新シグナリングを送信するようにさらに構成される。
【０００９】
モバイルワイヤレス通信デバイスの別の例は、フェムトセルのための近接データを維持するように構成された近接性記憶モジュールと、フェムトセルに関する近接データ更新シグナリングを取得するように構成された受信機と、近接性記憶モジュールおよび受信機に通信的に結合されており、近接データ更新シグナリングに基づいてフェムトセルのための近接データを更新するように構成された近接性更新モジュールとを含む。
【００１０】
デバイスのインプリメンテーションは、以下の特徴のうちの１または複数を含みうる。近接性記憶モジュールに通信的に結合され、１または複数のフェムトセルに関する近接データを、ワイヤレス通信ネットワーク内の近接情報管理エンティティ、または、ワイヤレス通信ネットワーク内のサービングセルに報告するように構成された、送信機。受信機は、近接データ更新シグナリングが組み込まれている制御シグナリングを受信するようにさらに構成されている。近接性更新モジュールは、フェムトセルに対する少なくとも１つの探索を実行し、少なくとも１つの探索の結果にしたがって、フェムトセルのための維持された近接データを更新するようにさらに構成されている。
【００１１】
方法の例は、ワイヤレス通信ネットワーク内でロケーションを識別することと、このロケーションを、フェムトセルの位置に関する近接情報が維持されるフェムトセルと関連付けることと、フェムトセルに対する少なくとも１つの探索を実行することと、少なくとも１つの探索の結果に基づいてフェムトセルのための維持された近接情報を更新することとを含む。
【００１２】
方法のインプリメンテーションは、以下の特徴のうちの１または複数を含みうる。更新することは、少なくとも１つの探索のうちの１または複数でフェムトセルが見つからなかった場合に、フェムトセルのための維持された近接情報を破棄することを含む。実行することは、近接探索期間のインターバルでフェムトセルの探索を実行することを含み、更新することは、Ｎを正の整数として、Ｎ回の連続探索でフェムトセルが見つからなかった場合に、フェムトセルのための維持された近接情報を破棄することをさらに含む。更新することは、割り当てられた時間インターバル内に少なくとも１つの探索を介してフェムトセルが見つからなかった場合に、フェムトセルのための維持された近接情報を破棄することをさらに含む。更新することは、フェムトセルの劣化レベルを維持することと、少なくとも１つの探索のうちの１または複数でフェムトセルが見つからなかった場合に、フェムトセルの劣化レベルを上げることとを含む。実行することは、フェムトセルの劣化レベルにしたがって決定されたレートでフェムトセルの探索を実行することを含む。更新することは、フェムトセルの劣化レベルが割り付けられた劣化閾値（obsoleteness threshold）を超えた場合に、フェムトセルのための維持された近接情報を破棄することをさらに含む。実行することは、近接探索期間のインターバルでフェムトセルの探索を実行することを含み、更新することは、Ｎを正の整数として、フェムトセルがＮ回の連続探索で見つからなかった場合に、フェムトセルの劣化レベルを上げることをさらに含む。更新することは、割り付けられた時間インターバル内で少なくとも１つの探索を介してフェムトセルが見つからなかった場合に、フェムトセルの劣化レベルを上げることをさらに含む。近接情報は、衛星測位システム座標、セル識別子、デバイスアドレス、ＭＡＣアドレス、観察された信号強度、セルラ、テレビ、または無線システムのうちの少なくとも１つの観察された信号対ノイズ比、観察されたキャリア周波数、あるいは、関連無線アクセステクノロジのうちの少なくとも１つを含む。ワイヤレス通信ネットワークから受信にされた更新情報に基づいて、フェムトセルのための維持された近接情報を更新する。更新することは、フェムトセルのための維持された近接情報の少なくとも一部が、ワイヤレス通信ネットワークに送信されるスケジュールを変更することをさらに含む。
【００１３】
方法の別の例は、フェムトセルに関する近接情報の報告を取得することと、近接情報が関連性を有する１または複数のネットワークデバイスを識別することと、１または複数のネットワークデバイスに近接情報更新シグナリングを通信することとを含む。
【００１４】
方法のインプリメンテーションは、以下の特徴のうちの１または複数を含みうる。取得することは、モバイルデバイス、フェムトセル、フェムトセル管理システム、または、フェムトセルゲートウェイのうちの少なくとも１つから報告を取得することを含む。識別することは、フェムトセルのアクセス制限に基づいて１または複数のネットワークデバイスを識別することを含む。通信することは、フェムトセルに関するさらなる情報の送信内で、近接情報更新シグナリングを通信することを含む。通信することは、接続モードで動作する１または複数のネットワークデバイスのうちの１つに、近接情報更新シグナリングを通信することをさらに含む。通信することは、送信期間またはフェムトセルに関するパラメータの変更のうちの少なくとも１つに基づいて、近接情報更新シグナリングを通信することを含む。
【００１５】
方法のさらなる例は、近接情報が維持されるワイヤレス通信ネットワーク内のフェムトセルを識別することと、フェムトセルに関する近接情報更新シグナリングを受信することと、近接情報更新シグナリングに基づいて、フェムトセルのための維持された近接情報を更新することとを含む。
【００１６】
方法のインプリメンテーションは、以下の特徴のうちの１または複数を含みうる。１または複数のフェムトセルに関する近接情報を、ワイヤレス通信ネットワーク内の近接情報管理エンティティに報告すること。１または複数のフェムトセルに関する近接情報を、ワイヤレス通信ネットワーク内のサービングセルに報告すること。受信することは、ワイヤレス通信ネットワークから制御シグナリングの送信に組み込まれた近接情報更新シグナリングを受信することを含む。
【００１７】
モバイルワイヤレス通信デバイスの例は、デバイスのロケーションを識別するための手段と、フェムトセルのための近接データを維持するための手段と、フェムトセルをデバイスのロケーションと関連付けるための手段と、フェムトセルに対する少なくとも１つの探索を実行するための手段と、少なくとも１つの探索の結果にしたがって、フェムトセルのための維持された近接データを更新するための手段とを含む。
【００１８】
デバイスのインプリメンテーションは、以下の特徴のうちの１または複数を含みうる。更新するための手段は、複数のイベントからの少なくとも１つの選択されたイベントに応じて(upon at least one selected event from a plurality of events)、フェムトセルのための維持された近接データを破棄するように構成され、複数のイベントは、Ｎを正の整数として、フェムトセルがＮ回の探索で見つからないこと、および、フェムトセルが割り付けられた時間で見つからないことを含む。更新するための手段は、フェムトセルの劣化レベルを維持し、少なくとも１つの探索の結果にしたがってフェムトセルの劣化レベルを更新するように構成される。更新するための手段は、複数のイベントからの少なくとも１つの選択されたイベントに応じて、フェムトセルの劣化レベルを上げるように構成され、複数のイベントは、Ｎを正の整数として、フェムトセルがＮ回の探索で見つからないこと、および、フェムトセルが割り付けられた時間で見つからないことを含む。更新するための手段は、フェムトセルのための維持された近接データを破棄することと、フェムトセルの劣化レベルが閾値を超える場合に、実行するための手段がフェムトセルを探索するレートを減らすこととのうちの少なくとも１つを実行するように構成される。
【００１９】
フェムトセル近接性管理システムの例は、フェムトセルに関する近接データ報告を受信するための手段と、近接データ報告が関連性を有する１または複数のネットワークデバイスを識別するための手段と、近接データ報告に基づいて近接データ更新シグナリングを生成するための手段と、識別するための手段によって識別された１または複数のネットワークデバイスに近接データ更新シグナリングを送信するための手段とを含む。
【００２０】
デバイスのインプリメンテーションは、以下の特徴のうちの１または複数を含みうる。送信するための手段は、フェムトセルに関するさらなる情報の送信内で、近接データ更新シグナリングを送信するように構成される。送信するための手段は、割り付けられた時間量の終了、または、フェムトセルと関連付けられた近接データの変更のうちの少なくとも１つに応じて近接データ更新シグナリングを送信するように構成される。
【００２１】
モバイルワイヤレス通信デバイスの例は、フェムトセルのための近接データを維持するめの手段と、フェムトセルに関する近接データ更新シグナリングを受信するための手段と、近接データ更新シグナリングに基づいて、フェムトセルのための近接データを更新するための手段とを含む。
【００２２】
デバイスのインプリメンテーションは、以下の特徴のうちの１または複数を含みうる。受信するための手段は、近接データ更新シグナリングが組み込まれている制御シグナリングを受信するように構成される。
【００２３】
コンピュータプログラムプロダクトの例は、非一時的なプロセッサ可読媒体上（non-transitory processor-readable medium）に存在し(resides on)、プロセッサに対して、ワイヤレス通信ネットワーク内のロケーションを識別させ、ロケーションをフェムトセルの位置に関する近接情報が維持されるフェムトセルと関連付けさせ、フェムトセルに対する少なくとも１つの探索を実行させ、少なくとも１つの探索の結果に基づいて、フェムトセルのための維持された近接情報を更新させるように構成されたプロセッサ可読命令を含む。
【００２４】
コンピュータプログラムプロダクトのインプリメンテーションは、以下の特徴のうちの１または複数を含みうる。プロセッサに対して更新させるように構成された命令は、プロセッサに対して、複数のイベントからの少なくとも１つの選択されたイベントに応じて、フェムトセルのための維持された近接データを破棄させるように構成され、複数のイベントは、Ｎを正の整数として、フェムトセルがＮ回の探索で見つからないこと、および、フェムトセルが割り付けられた時間内で見つからないことを含む。プロセッサに対して更新させるように構成された命令は、プロセッサに対して、フェムトセルの劣化レベルを維持させ、少なくとも１つの探索の結果にしたがってフェムトセルの劣化レベルを更新させるように構成される。プロセッサに対して更新させるように構成された命令は、プロセッサに対して、フェムトセルのための維持された近接データを破棄させ、フェムトセルの劣化レベルが閾値を超える場合に、実行するための手段がフェムトセルを探索するレートを減少させるように構成される。
【００２５】
コンピュータプログラムプロダクトの別の例は、非一時的なプロセッサ可読媒体上に存在し、プロセッサに対して、フェムトセルに関する近接情報の報告を取得させ、近接情報が関連性を有する１または複数のネットワークデバイスを識別させ、１または複数のネットワークデバイスに近接情報更新シグナリングを通信させるように構成されたプロセッサ可読命令を含む。
【００２６】
コンピュータプログラムプロダクトのインプリメンテーションは、以下の特徴のうちの１または複数を含みうる。プロセッサに対して通信させるように構成された命令は、プロセッサに対して、フェムトセルに関するさらなる情報の送信内で近接情報更新シグナリングを送信させるように構成される。プロセッサに対して通信させるように構成された命令は、プロセッサに対して、割り付けられた時間量の終了、または、フェムトセルと関連付けられた近接情報の変更のうちの少なくとも１つに応じて近接情報更新シグナリングを送信させるように構成される。
【００２７】
コンピュータプログラムプロダクトのさらなる例は、非一時的なプロセッサ可読媒体に存在し、プロセッサに対して、近接情報が維持されるワイヤレス通信ネットワーク内のフェムトセルを識別させ、フェムトセルに関する近接情報更新シグナリングを受信させ、近接情報更新シグナリングに基づいて、フェムトセルのための維持された近接情報を更新させるように構成されたプロセッサ可読命令を含む。
【００２８】
コンピュータプログラムプロダクトのインプリメンテーションは、以下の特徴のうちの１または複数を含みうる。プロセッサに対して受信させるように構成された命令は、プロセッサに対して、近接情報更新シグナリングを組み込んだ制御シグナリングを受信させるように構成される。
【００２９】
本明細書に記述されたアイテムおよび／またはテクニックは、以下の機能のうちの１または複数、並びに、記述されない別の機能を提供しうる。新しいおよび／または劣化したフェムトセルの探索と関連付けられたモバイルデバイス電力の利用は減少または削減されうる。フェムトセル使用と関連付けられたモバイルデバイス効率は増やされうる。効率的なフェムトセル近接データ更新は、あらゆるワイヤレス通信テクノロジに柔軟に適用され、デバイス機能にしたがってモバイルデバイスおよび／または通信ネットワークでインプリメントされうる。ネットワーク容量は、過剰な近接情報報告の減少により増やされうる。少なくとも１つのアイテム／テクニック効果ペアが記述されているが、記述される効果が、記述される手段以外の手段によって達成されることは可能であり、記述されるアイテム／テクニックは、必ずしも、記述される効果を生成するとは限らない。
【図面の簡単な説明】
【００３０】
【図１】図１は、ワイヤレス電気通信システムの概略図である。
【図２】図２は、フェムトセルを用いるワイヤレス通信システムのブロック図である。
【図３】図３は、図１に示されるモバイル局のコンポーネントのブロック図である。
【図４】図４は、モバイルベースのフェムトセル近接情報更新を実行するためのシステムの部分的な機能ブロック図である。
【図５】図５は、ネットワークベースのフェムトセル近接情報更新を実行するためのシステムの部分的な機能ブロック図である。
【図６】図６は、ワイヤレス通信システムにおけるネットワークベースの近接性更新のための様々なインプリメンテーションの概略ブロック図である。
【図７】図７は、ネットワークベースのフェムトセル近接情報更新を実行するためのシステムの別の部分的な機能ブロック図である。
【図８】図８は、ワイヤレス通信環境においてフェムトセル近接情報を更新するそれぞれのプロセスのブロックフロー図である。
【図９】図９は、ワイヤレス通信環境においてフェムトセル近接情報を更新するそれぞれのプロセスのブロックフロー図である。
【図１０】図１０は、ワイヤレス通信環境においてフェムトセル近接情報を更新するそれぞれのプロセスのブロックフロー図である。
【詳細な説明】
【００３１】
以下の記述は、同様の参照番号が全体を通して同様のエレメントを指すために使用される複数の図への参照と共に提供される。１または複数のテクニックの様々な詳細が本明細書に記述されるが、他のテクニックも同様に可能でありうる。いくつかの例において、様々なテクニックの記述を容易にするために、周知の構造およびデバイスがブロック図の形態で示される。
【００３２】
フェムトセルまたはワイヤレス通信ネットワーク内の別のエンティティと関連付けられた近接情報を更新するためのテクニックが本明細書に記述される。「近接情報（proximity information）」という用語は、モバイルデバイスがネットワークセルへの近接性を決定するのに役立つ任意の情報として定義される。近接情報は、フェムトセルのＳＰＳ座標、異なるキャリアにわたるマクロセルのセル識別子のセット、媒体アクセス制御（ＭＡＣ）アドレス、フェムトセルに対応する所在地住所または緯度／経度情報、セルラ、テレビ、または、無線システムのうちの少なくとも１つの観察された信号対ノイズ比、観察されたキャリア周波数、または関連無線アクセステクノロジ等を含みうるが、それらに限定されるわけではない。
【００３３】
図１に関して、ワイヤレス通信システム１０は、モバイルアクセス端末１２（ＡＴ）、セル１６に配置されたトランシーバ基地局（ＢＴＳ）または基地局１４、および、基地局コントローラ（ＢＳＣ）１８を含む。システム１０は、複数のキャリア（異なる周波数の波形信号）上での動作をサポートしうる。マルチキャリア送信機は、複数のキャリア上で同時に変調信号を送信することができる。各変調信号は、符号分割多元接続（ＣＤＭＡ）信号、時分割多元接続（ＴＤＭＡ）信号、直交周波数分割多元接続（ＯＦＤＭＡ）信号、単一キャリア周波数分割多元接続（ＳＣ−ＦＤＭＡ）信号等でありうる。各変調信号は、異なるキャリア上で送られ、パイロット、オーバヘッド情報、データ等を搬送しうる。
【００３４】
基地局１４は、アンテナを介してモバイルデバイス１２とワイヤレスで通信することができる。基地局１４の各々は、基地局、アクセスポイント、アクセスノード（ＡＮ）、ノードＢ、発展型ノードＢ（ｅＮＢ）等とも呼ばれうる。基地局１４は、複数のキャリアを介してＢＳＣ １８の制御下でモバイルデバイス１２と通信するように構成されうる。基地局１４の各々は、それぞれの地理的エリア、本明細書におけるそれぞれのセル１６に対して通信カバレッジを提供することができる。基地局１４のセル１６の各々は、基地局アンテナに応じて複数のセクタに分割される。
【００３５】
システム１０は、マクロ基地局１４しか含まないか、あるいは、それは、例えば、マクロ、ピコ、および／または、フェムト基地局等、異なるタイプの基地局１４を有しうる。マクロ基地局は、比較的大きな地理的エリア（例えば、半径数キロ）をカバーし、サービスに加入している端末による無制限アクセスを可能にしうる。ピコ基地局は、比較的小さな地理的エリア（例えば、ピコセル）をカバーし、サービスに加入している端末による無制限アクセスを可能にしうる。フェムトまたはホーム基地局は、比較的小さな地理的エリア（例えば、フェムトセル）をカバーし、フェムトセルと関連付けられた端末（例えば、ホームにいるユーザの端末）による制限付きアクセスを可能にしうる。
【００３６】
モバイルデバイス１２は、セル１６の至るとところに分散されうる。モバイルデバイス１２は、端末、モバイル局、モバイルデバイス、ユーザ機器（ＵＥ）、加入者ユニット等とも呼ばれうる。図１に示されるモバイルデバイス１２は、セルラ電話およびワイヤレスルータを含むが、携帯情報端末（ＰＤＡ）、他のハンドヘルドデバイス、ネットブック、ノートブックコンピュータ等も含みうる。
【００３７】
図２に関して、例示的なネットワーク環境内でフェムトセル２２の展開を可能にする通信システム２０が示される。システム２０は、複数のフェムトセル２２（アクセスポイント基地局（ＡＰＢＳ）、ホームノードＢユニット（ＨＮＢ）、ホーム発展型ノードＢユニット（ＨｅＮＢ）等とも呼ばれうる）を含みうる。フェムトセル２２は、例えば、ユーザの住居２４のような小さなスケールのネットワーク環境、または、オフィスビル、店舗、または、他のビジネスのような他の適切なエリアと関連付けられる。フェムトセル２２は、さらに、関連付けられたモバイルデバイス１２および／またはエイリアン（alien）モバイルデバイス１２にサービス提供するように構成されうる。ここで、フェムトセル２２は、デジタル加入者回線（ＤＳＬ）ルータ、ケーブルモデム、光ファイバ接続等によってインプリメントされるブロードバンド接続を介して、インターネット２６およびモバイルオペレータコアネットワーク２８に結合される。フェムトセルのオーナまたはフェムトセル２２は、モバイルオペレータコアネットワーク２８を通して提供されるモバイル通信サービスに加入することができる。それに応じて、モバイルデバイス１２は、マクロセルラ環境３０、および、住居向けの小さなスケールのネットワーク環境の両方で動作することができる。
【００３８】
モバイルデバイス１２は、いくつかのケースにおいて、マクロセルモバイルネットワーク３０に加えて、フェムトセル２２（ユーザの住居２４内に存在するフェムトセル２２）のセットからサービス提供を受けることができる。本明細書で定義されるように、「ホーム（home）」ＡＰＢＳは、モバイルデバイスが動作する権限を与えられている基地局であり、ゲストＡＰＢＳは、モバイルデバイスが一時的に動作する権限を与えられる基地局を指し、エイリアンＡＰＢＳは、モバイルデバイスが動作する権限を与えられない基地局である。フェムトセル２２は、それぞれのマクロセル周波数とオーバラップしうる単一の周波数または複数の周波数上で展開可能である
次に図３を参照すると、図１に示されるモバイルデバイス１２のうちの例示的な１つは、プロセッサ１０２、ソフトウェア１０６を含むメモリ１０４、入力／出力（Ｉ／Ｏ）デバイス１０８（例えば、ディスプレイ、スピーカ、キーパッド、タッチスクリーン、または、タッチパッドなど）、動きセンサ(motion sensors)１１０、衛星測位システム（ＳＰＳ）受信機１１２、およびトランシーバ１１４を含むコンピュータシステムを備える。トランシーバ１１４は、基地局１４と双方向に通信するように構成された１または複数のアンテナを含む。ここで、プロセッサ１０２は、インテリジェントハードウェアデバイス、例えば、インテル（登録商標）コーポレーションまたはＡＭＤ（登録商標）によって作られた中央処理装置（ＣＰＵ）のようなＣＰＵ、マイクロコントローラ、特定用途向け集積回路（ＡＳＩＣ）等である。メモリ１０４は、ランダムアクセスメモリ（ＲＡＭ）および読取専用メモリ（ＲＯＭ）のような非一時的な記憶媒体を含む。メモリ１０４は、実行されると、プロセッサ１０２に対して、本明細書に記述された様々な機能を実行させるように構成された命令を含む、コンピュータ読取可能かつコンピュータ実行可能なソフトウェアコードであるソフトウェア１０６を記憶する。あるいは、ソフトウェア１０６は、プロセッサ１０２によって直接的に実行されない可能性があるが、例えば、コンパイルまたは実行されると、コンピュータに対して機能を実行させるように構成される。
【００３９】
動きセンサ１１０は、モバイルデバイス１２の動きおよび／またはオリエンテーション、並びに、ある時間にわたるモバイルデバイス１２の動きおよび／またはオリエンテーションの変化に関するデータを集めるように構成される。動きセンサ１１０は、例えば、ジャイロスコープ（gyroscope）、加速度計（accelerometer）、磁力計（magnetometer）等を含むことができる。動きセンサ１１０は、例えば、地球に関して、モバイルデバイス１２の動きの方向および／またはオリエンテーションが決定されうる情報を提供するように構成される。次に、モバイルデバイス１２の方向および／またはオリエンテーションは、例えば、推測航法または他の手段で、モバイルデバイス１２のロケーションを推論するため、または、推理に役立てるために使用されることができる。
【００４０】
動きセンサ１１０は、現在または過去のオリエンテーションおよび／または動きの方向を比較して、モバイルデバイス１２の動きの方向および／またはオリエンテーションの変化を決定するために、ある時間にわたって、例えば、周期的に、情報を提供することができる。例えば、ジャイロスコープは、オリエンテーションに影響を及ぼすモバイルデバイス１２の動きに関する情報を提供することができる。加速度計は、モバイルデバイス１２に対する重力の方向が決定されうるように、重力加速度に関する情報を提供するように構成されうる。磁力計は、モバイルデバイス１２に対する磁北の方向（例えば、３次元で）を示すインジケーションを提供するように構成されうる。磁気偏角および／または他の補償要因が使用され、磁北を真北に関連付けうるか、逆もまた同様である。他の動きセンサ１１０も使用されうる。
【００４１】
ＳＰＳ受信機１１２は、ＳＰＳ（例えば、全地球測位システム（ＧＰＳ）、グロナス（ＧＬＯＮＡＳＳ）、ガリレオ、Beidou等）と関連付けられた衛星からのナビゲーション信号をモニタし、モバイルデバイス１２の位置を決定するための適切な機器を含む。例えば、ＳＰＳ受信機１１２は、１または複数のＳＰＳアンテナを含み、プロセッサ１０２と通信してロケーション情報を決定するか、あるいは、受信された衛星ナビゲーション信号を処理するためにそれ自体のプロセッサを使用し、モバイルデバイス１２のロケーションを決定するかのいずれかを行うことができる。さらに、ＳＰＳ受信機１１２は、モバイルデバイス１２のロケーションの決定に用いる支援情報を送るため、および／または、受信するために、位置決定エンティティおよび／または基地局１４のような他のエンティティと通信することができる。
【００４２】
フェムトセル２２を含むワイヤレス通信システムにおいて、モバイルデバイス１２は、例えば、図４のシステム１２０内に示されるように、発見されたアクセス可能なフェムトセルの各々の近接情報を記憶する。このように、モバイルデバイス１２がフェムトセル２２の近接に戻ると、モバイルデバイス１２は、最も近いフェムトセル２２に対する探索周波数を増やし（または、探索を開始し）、フェムトセル２２の発見時間を減らすことができる。逆に、フェムトセル２２の近接から出ると、モバイルデバイス１２は、探索周波数を減して（または、探索を停止して）、バッテリ寿命を節約することができる。そのような近接性ベースの探索の結果として、フェムトセル２２は、フェムトセル２２の探索をトリガするためにフェムトセル以外のキャリア上ではビーコン信号を送信しない可能性があり、これは、マクロセルユーザに対して干渉を引き起こすであろう。
【００４３】
一般的に、記憶された近接情報の更新を容易にするためのテクニックが本明細書に記述される。本明細書のテクニックは、少なくとも下記の要因によって動機づけられる。第１に、フェムトセル２２のための記憶された近接情報は、様々な状況下で、劣化しうる。例えば、フェムトセル２２は、オーナの家、オフィス、店舗などの再配置により、別のエリアに物理的に再配置されうる。さらに、フェムトセル２２は、ワイヤレスバックホールを用いて、バス、電車等のモバイルプラットフォーム上にインプリメントされうる。第２に、フェムトセル２２は、サービスの終了（例えば、ビジネスの終了、プロバイダ間のサービスの切換、Ｗｉ−Ｆｉ、ＷｉＭａｘ、ＬＴＥ、ＣＤＭＡのような異なるシステムのフェムトセル２２間の切換）により遮断されうる。
【００４４】
フェムトセル２２についての近接情報が劣化した場合であっても、モバイルデバイス１２は、それが近接へと移動する度にフェムトセル２２を探索し、これは、モバイルデバイス１２のバッテリ寿命を減らす。加えて、モバイルデバイス１２が接続モードである場合、モバイルデバイス１２は、その劣化した近接情報により、誤った近接インジケーションをネットワークに送りうる。結果として、ネットワークは、例えば、フェムトセル２２についての不必要な測定値を構成し、測定ギャップ（または、ＵＭＴＳにおける圧縮モードギャップ）をアクティブ化し、フェムトセル２２を探索することによって応答しうる。これらの応答測定値により、モバイルデバイス１２からの測定報告は増加し、不必要な圧縮モードギャップおよび／またはモバイルシグナリングにより全体的なネットワーク容量は減少し、および／または、劣化した近接情報のストレージによりモバイルデバイス１２のメモリリソースは消耗しうる。よって、モバイルデバイス１２は、本明細書に記述されたテクニックを利用して、劣化した近接情報を識別および消去することができる。
【００４５】
第２に、フェムトセル２２と関連付けられた近接情報の更新は、従来、モバイルデバイス１２によるフェムトセル２２の発見にのみ基づく。言い換えると、モバイルデバイス１２は、従来、近接情報を更新するためにフェムトセル２２に事前に訪問しておくことが要求される。この要求は、未訪問のフェムトセル２２の発見と関連付けられた時間、並びに、期限切れの近接情報によってトリガされた不正確な探索によって引き起こされるモバイルバッテリ寿命を消費する。例えば、モバイルデバイス１２が未訪問のアクセス可能なフェムトセル２２の近接へと移動すると、モバイルデバイスの近接外（out-of-proximity）探索アルゴリズムに依存して、低い探索周波数を理由にフェムトセル２２にキャンプオン（camp on）するための発見時間が無視できないか、あるいは、いずれの探索も実行されない可能性がある。さらに、モバイルデバイス１２が以前に発見されたフェムトセル２２についての近接性インジケーションを（例えば、接続モードで）送るように構成される場合、期限切れの近接情報を有するモバイルデバイス１２は、不必要な近接性インジケーションをネットワークに送り、これはネットワーク容量に悪影響を及ぼしうる。別の例として、モバイルデバイス１２が劣化した記憶された近接情報を有するエリアへと移動すると、もはやエリア内にいないか非アクティブのいずれかであるエリア内のフェムトセル２２を探索するためにかなりの量のバッテリ寿命を消費しうる。従って、モバイルデバイス１２は、更新された近接情報に関する情報を関連ネットワークから受信することができ、これにより、モバイルデバイス１２は、新しくアクセス可能な、および／または、劣化したＡＰＢＳ近接性を確かめることができる。
【００４６】
本明細書の様々なテクニックは特定のネットワークテクノロジに関して記述されうるが、記述されたテクニックは、広域ＣＤＭＡ（ＷＣＤＭＡ）／高速パケットアクセス（ＨＳＰＡ）、ＵＭＴＳ（Universal Mobile Telecommunications System）、ＬＴＥ、ＷｉＭａｘ、ＧＳＭ（登録商標）（Global System for Mobile Communications）等のような任意のワイヤレスシステム、および、あらゆる適切なセルタイプ（例えば、クローズド加入者グループ(closed subscriber group)（ＣＳＧ）セル、ハイブリッドセル等）に適用されうる。本明細書のテクニックは、さらに、専用チャネルまたは同一チャネルのいずれかのＡＰＢＳ展開で、アイドルモードおよび接続モードの両方に適用可能である。
【００４７】
図４に関して、記憶された近接情報は、上に記述されたように、フェムトセル再配置または遮断のような理由により劣化し、劣化した情報は、モバイルデバイス１２に対して、期限切れの近接性を用いて識別されたエリア内を持続的に探索させうる。このように、モバイルデバイス１２は、劣化した近接情報を識別および消去するために、システム１２０内でモバイルベースのテクニックを利用することができる。この目的のために、モバイルデバイス１２は、モバイルデバイス１２のロケーションを識別するように構成された位置決めモジュール１２２（positioning module）と、フェムトセル（femtocell）２２についての近接データを維持し、フェムトセル２２をモバイルデバイス１２のロケーションと関連付けるように構成された近接性記憶モジュール（proximity store module）１２４と、フェムトセル２２に対する少なくとも１つの探索を実行し、少なくとも１つの探索にしたがって、フェムトセル２２のための維持された近接データを更新するように構成された近接性更新モジュール（proximity update module）１２６とを含むことができる。位置決めモジュール１２２および近接性更新モジュール１２６は、例えば、メモリ１０４に記憶されたソフトウェア１０６を実行するプロセッサ１０２を用いてインプリメントされる。近接性記憶モジュール１２４は、例えば、メモリ１０４でインプリメントされ、メモリ１０４にさらに記憶されたソフトウェア１０６を実行するプロセッサ１０２を介して制御される。
【００４８】
モバイルベースの近接性更新は、モバイルデバイス１２がその示された近接においてフェムトセル２２を探索する時間量(例えば、１時間、１日等)として定義される「近接探索ユニット」に基づいてシステム１２０内で実行されうる。この定義に基づいて、ＭおよびＮを正の整数として、モバイルデバイス１２のフェムトセル２２の近接へのＭ回の事前の訪問の各々においてＮ回の継続的または連続的な近接探索ユニットの間に近接性更新モジュール１２６によってフェムトセル２２が見つからなかった場合、モバイルデバイス１２は、フェムトセル２２に対応する近接情報が劣化したものとみなし、近接性更新モジュール１２６を介して近接性記憶モジュール１２４からのこの近接情報を削除または破棄しうる。
【００４９】
あるいは、モバイルデバイス１２は、特定の条件が満たされた場合、劣化レベルが上げられるように、フェムトセル２２についての近接情報の劣化レベルが維持される複数のステップのアプローチに従う。例えば、劣化レベルのセットは、ＮｉおよびＭｉを整数として、以下のように定義されうる。
【００５０】
劣化レベル１（Ｌ１）＝フェムトセルが、
［近接へのＭ１回の事前の訪問］の各々において
［Ｎ１回の継続した近接探索ユニット］で見つからなかった場合。
【００５１】
劣化レベル２（Ｌ２）＝フェムトセルが、
［近接へのＭ２回の事前の訪問（Ｍ１の後の）］の各々において
［Ｎ２回の継続した近接探索ユニットで］見つからなかった場合。
【００５２】
劣化レベルｎ（Ｌｎ）＝フェムトセルが、
［近接へのＭｎ回の事前の訪問（Ｍｎ−１の後の）］の各々において
［Ｎｎ回の継続した近接探索ユニットで］見つからなかった場合。ここで、Ｌｎ＞Ｌｎ−１＞...＞Ｌ１である。
【００５３】
上の例示的なレベルのセットに関して、ＮｉおよびＭｉパラメータは相関である必要はなく、ＮｉおよびＭｉパラメータは個々に最適化されることができる。
【００５４】
モバイルデバイス１２は、劣化レベルに依存して、異なるフェムトセル探索挙動をインプリメントすることができる。例えば、近接性更新モジュール１２６は、近接情報の劣化レベルが上がるにつれ、徐々に減っていくレートまたは頻度でフェムトセル２２を探索しうる。最も高い劣化レベルで（例えば、所与のフェムトセル２２に対する劣化レベルが閾値を超える場合）、近接性更新モジュール１２６は、さらに、近接情報を削除するかまたは無効にしうる。このように、上の例において、パラメータＮは、近接情報の所与のセットに対する劣化レベルが上がるにつれ、減るように構成されうる。しかしながら、ＭおよびＮパラメータは、劣化レベルの可変レベルに対して関連づけられる必要がなく、これらのパラメータは、劣化レベル間で任意の適切な方式で変更されうる（例えば、増加、減少、変化しない）。
【００５５】
加えて、または、あるいは、近接情報の所与のセットの劣化は、時間ベースのアプローチを用いて決定され、ここで、劣化レベルｉとして、割り付けられた時間期間または時間インターバルＴｉ内にフェムトセル２２が見つからなかった場合、劣化レベルが上げられうる。上記のＭおよびＮパラメータに類似して、時間閾値Ｔは、劣化レベル間で増加、減少、あるいは、変更されないままであり、Ｔは、そのようなレベルの間で関連づけられる必要はない。時間閾値Ｔｉの間でのフェムトセル２２の探索は、例えば、定期的に、不規則に、継続的に、任意の適切な方式で実行されうる。さらに、上に記述された探索アプローチの数は、劣化レベルの調整の際に考慮されうる１または複数のイベントとして時間ベースのアプローチで使用されうる。例えば、探索数および探索時間は、例えば、劣化レベルが、（１）Ｎ回の探索かつＴ時間の終了後、または（２）Ｎ回の探索またはＴ時間の終了後のいずれかに調整されるように、組み合わせで、または、代替案として使用されうる。
【００５６】
近接性更新モジュール１２６は、さらに、フェムトセル２２に対応する近接情報が、関連ワイヤレス通信ネットワークに報告されるかあるいは他の方法で送信される方式を変更するか他の方法で影響を及ぼしうる。例として、近接性更新モジュール１２６は、フェムトセル２２と関連付けられた劣化レベルが上がることに応じて、フェムトセル２２に対応する近接情報についての報告遅延を増やすことができる。別の例として、近接性更新モジュール１２６は、送信スケジュールを変更するか、あるいは、様々なフェムトセル２２に対応する近接情報報告の伝送を控えうる。後者のケースにおいて、近接性更新モジュール１２６は、近接情報が破棄されたフェムトセル２２に対応する近接情報、または、閾値劣化を超えるフェムトセル２２に対応する近接情報の報告を送らないようにモバイルデバイス１２に命じ、それにより、モバイルデバイス１２によって送られる過剰な報告が引き起こすネットワーク容量へのインパクトが減りうる。
【００５７】
フェムトセル近接情報は、図５のシステム１４０によって示されるように、近接情報マネジャ(proximity information manager)（ＰＩＭ）１５０によって容易にされるネットワークベースのアプローチを用いて更新されうる。上に記述されたモバイルベースの更新と比較すると、ネットワークベースの更新は、ネットワークを介してモバイルデバイス１２に近接性更新を知らせ、モバイルデバイス１２の様々なリソースを節約するであろう。例えば、ＰＩＭ １５０は、モバイルデバイス１２においてバッテリ寿命と発見時間との両方が節約されるように、未訪問なアクセス可能フェムトセルの新しい近接情報の追加をモバイルデバイス１２に直接的または間接的に知らせる。さらに、ＰＩＭ １５０は、情報の劣化を認識するためのバッテリ寿命および時間を節約するために、フェムトセルの劣化情報を除去するようにモバイルデバイス１２に命令することができる。
【００５８】
ネットワークベースの近接情報更新は、図６において示された通信パスのうちの１または複数を介してインプリメントされうる。図６は、フェムトセル２２の展開のための一般的なアーキテクチャを示すが、図６に示されるエンティティのうちのいくつかは、いくつかのネットワークテクノロジの場合にオプションでありうる。さらに、いくつかのネットワークテクノロジは、図６に示されないエンティティを利用しうる。図６に示されるシステムは、フェムトセル２２および／またはマクロセル１７０を含む１または複数のセルと通信しうるモバイルデバイス１２を含む。フェムトセル２２は、フェムトセルゲートウェイ(femtocell gateway)（Ｆ−ＧＷ）１６２を介してコアネットワーク１６４に接続され、マクロセル１７０は、マクロセル無線コントローラ１６６を介してコアネットワーク１６４に接続する。さらに、１または複数のフェムトセル２２は、フェムトセル管理システム(femtocell management system)（ＦＭＳ）１６８を用いて制御される。
【００５９】
ＰＩＭ １５０は、１または複数のフェムトセル２２の近接性に関する情報を記憶および／または更新するワイヤレス通信システム内の論理エンティティである。ＰＩＭ １５０は、図６に示された１または複数のエンティティ（モバイルデバイス１２を除く）を介してインプリメントされるか、あるいは、ＰＩＭ １５０は独立型のエンティティでありうる。ＰＩＭ １５０は、ネットワーク内の他のエンティティによって利用される無線テクノロジと関連付けられうるか、あるいは、それから独立しうる。
【００６０】
特定の例として、図６に示されたそれらに対応するＵＭＴＳエンティティは、下の表１で提供される。しかしながら、他の無線テクノロジは、上で記述されたように利用されうる。
【表１】
2013533662.tif 000003
【００６１】
ネットワークベースの近接情報更新は、以下のように、ネットワーク内の１または複数のエンティティによって取得および／または決定されうる。モバイルデバイス１２において、フェムトセル２２を検出すると、モバイルデバイス１２は、無線環境をスキャンして測定値を取得すること、ＳＰＳ固定を取得することによって、そのフェムトセルの近接情報を決定することができる。無線環境と関連付けられた測定値は、近くのマクロセルパイロット強度、パイロットの信号対ノイズ比（ＳＮＲ）、物理セルアイデンティティ、キャリア周波数、および、関連テクノロジ（例えば、ＧＳＭ、ＷＣＤＭＡ）、テレビ、および／または、無線局信号強度および周波数などを含むことができる。モバイルデバイス１２は、図５に示される近接データ報告モジュール（proximity data reporting module）１４２および送信機１４４を介して、この情報のいくつかあるいはすべてを報告することができる。送信されると、ＰＩＭ １５０は、受信機１５２または別の方式を介して、報告された情報を直接的または間接的に受信しうる。
【００６２】
フェムトセル２２は、さらに、様々な動作を実行することにより、それ自体がその近接情報を決定しうる。これらは、例えば、その無線環境をスキャンすること、ＳＰＳ固定を取得すること、隣接セルについての情報を提供する近隣のモバイルデバイス１２から送られた報告および／またはメッセージを利用すること、バックホールを使用してその周りの別のセルを発見すること等を含む。さらに、ＦＭＳ １６８は、例えば、フェムトセル２２によって提供されるロケーション情報または無線情報を使用すること、または、オペレータによって構成された展開情報を使用することによってフェムトセル２２の近接情報を決定することができる。後者のケースにおいて、フェムトセル２２の展開が計画されると、ＦＭＳ １６８は、それぞれのフェムトセル２２の正確なロケーションについての知識と共に提供される。さらに、ＦＭＳ １６８は、フェムトセル２２からのロケーション／無線情報、および、オペレータによって構成された展開情報を使用することができる。例えば、フェムトセル２２は、その周りの周波数上のたった１つのマクロセル１７０の物理セルアイデンティティを提供することができる。それに続き、ＦＭＳ １６８は、フェムトセル２２のこの大まかなロケーションを用いて、全ての周波数上の近くのマクロセル１７０の物理セルアイデンティティを含む近接情報を構成することができる。
【００６３】
Ｆ−ＧＷ １６２は、さらに、フェムトセル２２によって提供されるロケーション情報、無線情報、またはパラメータ情報を使用することによって、および／または、Ｆ−ＧＷ １６２のまわりの全てのフェムトセル２２によって提供された情報を相互に関係付けることによって、フェムトセル２２の近接情報を決定しうる。例えば、フェムトセル（フェムト１）はその無線環境を適切にスキャンすることができないが、その隣接フェムトセル（フェムト２）はスキャンすることができ、フェムト１とフェムト２とが隣接であることをＦ−ＧＷ １６２が知っている場合（例えば、２つのフェムトセル２２のインターネットプロトコル（ＩＰ）アドレスに基づいて）Ｆ−ＧＷ １６２は、フェムト２によって提供された無線情報を使用してフェムト１の近接性を決定することができる。いくつかのケースにおいて、ＦＭＳ １６８は、さらに、この相関を実行しうる。
【００６４】
上に記述されたようにフェムトセル２２の近接情報が取得された後に、情報がＰＩＭ １５０に報告される。これは、直接的に報告すること（すなわち１つのホップ）によってなされ、ここで、近接情報を決定または取得するエンティティは、その情報をＰＩＭ １５０に直接的に報告する。例えば、直接的なインターフェースが、ＰＩＭ １５０と近接情報取得エンティティとの間に提供されうる。この方式で用いられうるＰＩＭ １５０への可能な報告パスは、図６において点線で示される。
【００６５】
あるいは、間接的な報告（すなわち、複数のホップ）が使用され、ここで、近接情報を決定または取得するエンティティは、１または複数の他のエンティティを介して情報をＰＩＭ １５０に送る。ソースエンティティとＰＩＭ １５０との間のエンティティは、単に情報を中継するか、もしくは、そのようなエンティティは、情報の構成を変更するか、あるいは、情報を変更またはフィルタリングすることができる。例えば、フェムトセル２２は、近接情報をＦＭＳ １６８に送ることができ、これは、次に、この情報を、ＰＩＭ １５０に送りうる。この方式で用いられうる間接的な報告パスは、図６において実線および点線の組み合わせを介して表される。
【００６６】
図５に戻り、ＰＩＭ １５０は、さらに、所与の近接情報が関連性を有する１または複数のネットワークユーザ（例えば、モバイルデバイス１２に対応する）を識別するユーザ選択モジュール１５４を含む。ユーザ選択モジュール１５４は、様々な機能を利用して、特定なフェムトセル２２の近接情報を必要とするユーザを決定する。ユーザ選択モジュール１５４は、それ自体でこの決定を実行することができるか、あるいは、ＰＩＭ １５０は、この機能が実行されるように、関連情報を別のエンティティに送ることができる。関連ユーザは、アクセス制限（例えば、ＣＳＧフェムトセル２２の場合）等の様々な基準に基づいて決定されうる。
【００６７】
関連ユーザが決定されると、シグナリング生成器モジュール１５６は、上で記述されたように、受信された近接データ報告に基づいて近接データ更新シグナリングを生成する。次に、送信機１５８は、アプリケーションレベル（例えば、オープンモバイル同盟デバイス管理（ＯＭＡ−ＤＭ）のような転送を使用することによって）で、または、テクノロジ（例えば、ＧＳＭ、ＷＣＤＭＡ等）固有メッセージングを用いて近接情報を関連ユーザに送る。さらに、近接情報は、フェムトセル２２にアクセスする権利を決定するためにモバイルデバイス１２によって使用されるアクセス制御リストの一部として送られうる。３ＧＰＰを利用する例について、近接情報は、ＣＳＧホワイトリスト(CSG whitelist)の一部として組み込まれうる。別のインプリメンテーションも可能である。
【００６８】
送信機１５８は、近接情報更新シグナリングを関連ユーザに送るための様々なトリガにしたがって動作しうる。例えば、周期的な更新が利用され、ここで、ネットワークは、近接情報をユーザに周期的に（例えば、１週間に一度に、など）送る。変更によりトリガされる更新が使用され、ここで、ユーザに関与するフェムトセル２２の近接情報が変更されるたび、新しいフェムトセルが追加または除去されるたびに、ネットワークは近接情報をユーザに送る。ピギーバッキング更新がさらに使用され、ここで、近接情報の送信は、他のフェムトセル関連情報の送信と結合される。３ＧＰＰを使用する制限なしの例について、近接情報は、更新されたＣＳＧホワイトリストがユーザに送られるたびに、更新されたＣＳＧホワイトリストと共に送られうる。さらに、ネットワークは、接続モード更新を使用し、ここで、近接情報の送信は、バッテリを節約するために、接続モードにあるモバイルデバイス１２だけに制限される。例えば、最後の近接情報は、所与のモバイルデバイス１２が接続モードであるときはいつでも送られうる。
【００６９】
加えて、モバイルベースとネットワークベースとの共同更新が用いられ、ここで、上に記述されたモバイルベースのテクニックおよびネットワークベースのテクニックの両方が組み合され、それによってモバイルデバイス１２は最後の更新を取得できるようになり、結果、探索効率性を改善する。例えば、ネットワークベースの更新テクニックは、長い周期的トリガに基づき、近接情報のネットワーク更新間で、モバイルベースの更新テクニックが使用され、探索効率性を改善する。
【００７０】
モバイルデバイス１２において、近接情報は、図７で示されたようなネットワークベースの更新テクニックについて上に記述された近接データ更新シグナリング(proximity data update signaling)１８０にしたがって更新されうる。近接性記憶モジュール１２４は、上に記述されたように、フェムトセル２２についての近接データを維持する。受信機１５２において、フェムトセル２２に関する近接データ更新シグナリングを受信すると、モバイルデバイス１２の近接性更新モジュール１２６は、受信された近接データ更新シグナリング１８０に基づいて、近接性記憶モジュール１２４においてフェムトセル２２ついての近接データを更新する。
【００７１】
上に記述されたように、本明細書に記述されたテクニックは、例えば、ＷＣＤＭＡ／ＨＳＰＡ、ＬＴＥ、ＷｉＭａｘ、ＧＳＭなどの様々なフェムトセルシステムに適用されうる。本明細書のテクニックは、さらに、専用チャネルまたは同一チャネルフェムトセル展開のいずれかを用いてアイドルモードおよび接続モードの両方に適用可能である。例示的なアプリケーションがより詳細に以下に分類される。しかしながら、別のアプリケーションも可能でありうる。
【００７２】
専用チャネル展開の場合のアイドルモードのアプリケーションにおいて、上に記述されたネットワークベースの更新が使用され、未訪問フェムトセル２２の近接情報をモバイルデバイス１２に知らせ、それらの新しい近接へと移動した場合に、モバイルデバイス１２は探索を開始することができる。さらに、上に記述されたモバイルベースおよびネットワークベースの両方の更新は、上記近接における探索を防ぐために、劣化した近接を除去することができる。さらに、ネットワークベースの更新は、モバイルデバイス１２においてこれらの近接を認識することと関連付けられたバッテリ寿命および時間の両方を節約することができる。
【００７３】
専用チャネル展開を有する接続モードのアプリケーションについて、専用チャネル展開を有するアイドルモードのアプリケーションに対する上の効果が適用される。さらに、接続モードで未訪問の近接へと移動すると、マクロセルキャリア上のモバイルデバイス１２は、必要に応じて、圧縮モードギャップ持続時間を含む周波数間測定構成メッセージを送るようにサービング無線コントローラに対して要求することができる。
【００７４】
同一チャネル展開を有するアイドルモードのアプリケーションについて、専用チャネル展開を有するアイドルモードのアプリケーションに対する上の効果が適用される。さらに、このケースではフェムトセル２２とマクロセル１７０の両方が同じキャリアを共有するため、モバイルデバイスは、ネットワークを介してフェムトセル送信電力をオフに切り換えることを要求し、モバイルデバイス１２がフェムトセル近接にないことが知られている場合に、マクロセルユーザへの干渉を減らすことができる。次に、モバイルデバイス１２は、それがフェムトセル近接に入ると、ネットワークを介して、フェムトセル送信電力をオンに切り換えるように要求することができる。
【００７５】
同一チャネル展開を有する接続モードのアプリケーションについて、同一チャネル展開を有するアイドルモードのアプリケーションに対する上の効果が適用される。さらに、接続モードで未訪問の近接に移動すると、モバイルデバイス１２は、サービング無線コントローラに対して、周波数内測定構成メッセージを送るように要求することができる。
【００７６】
次に図８を参照し、さらに、図１乃至７も参照すると、モバイルベースの更新を介してワイヤレス通信環境においてフェムトセル近接情報を更新するプロセス１８０は、示されるステージを含む。しかしながら、プロセス１８０は、ただの例であり、限定しない例である。プロセス１８０は、例えば、ステージが追加、除去、再配列、結合、および／または、同時に実行されることによって変更されうる。提示および記述されるようなプロセス１８０へのさらに別の変更が可能である。
【００７７】
ステージ１８２において、ワイヤレス通信ネットワーク内のロケーション（例えば、モバイルデバイス１２の）が識別される。ロケーションは、例えば、メモリ１０４に記憶されたソフトウェア１０６を実行するプロセッサ１０２よっておよび／または、別の手段によってインプリメントされる位置決めモジュール１２２によって識別されうる。ステージ１８４において、ロケーションは、ＡＰＢＳの位置に関する近接情報が維持されるフェムトセル２２と関連付けられる。近接情報は、近接性記憶モジュール１２４で維持され、それは、メモリ１０４を介して、および／または、別の適切な記憶メカニズムによってインプリメントされることができる。
【００７８】
ステージ１８６において、フェムトセル２２に対する少なくとも１つの探索（search）が、例えば、メモリ１０４に記憶されたソフトウェア１０６を実行するプロセッサ１０２によってインプリメントされる近接性更新モジュール１２６によって実行される。ステージ１８８において、フェムトセル２２のための維持された近接情報が、ステージ１８６で実行された少なくとも１つの探索の結果に基づいて更新される（例えば、近接性更新モジュール１２６を介して）。
【００７９】
図９を参照し、さらに、図１乃至７も参照すると、ネットワークベースの更新を介してワイヤレス通信環境においてフェムトセル近接情報を更新するプロセス１９０は、示されるステージを含む。しかしながら、プロセス１９０は、ただの例であり、限定しない例である。プロセス１９０は、例えば、ステージが追加、除去、再配列、結合、および／または、同時に実行されることによって変更されうる。提示および記述されるようなプロセス１９０へのさらに別の変更が可能である。
【００８０】
ステージ１９２において、フェムトセル２２に関する近接情報の報告が取得される。報告は、例えば、ＰＩＭ １５０において、図６に示された１または複数のエンティティから、直接的に（例えば、１つのネットワーク転送を介して）または間接的に（例えば、エンティティ間の複数のネットワーク転送を介して）取得されうる。例えば、ＰＩＭ １５０は、ステージ１９２において、近接データ報告モジュール１４２および／または送信機１４４を介して、モバイルデバイス１２から報告を受信することができる。
【００８１】
ステージ１９４において、モバイルデバイス１２のような、ステージ１９２で報告された近接情報が関連性を有する１または複数のネットワークデバイスが識別される。それぞれのユーに対する近接情報の関連性は、様々なフェムトセル２２に対するアクセス制限などの要因または他の要因に基づいて、例えば、ＰＩＭのユーザ選択モジュール１５４によって決定されうる。ステージ１９６において、近接情報更新シグナリング１８０は送信されるか、あるいは、ステージ１９４で識別された１または複数のネットワークデバイスに別の方法で通信されうる。情報更新シグナリング１８０は、例えば、ＰＩＭのシグナリング生成器モジュール１５６および／または送信機１５８によって報告される。プロセス１９０内で使用されるユーザ選択モジュール１５４および／またはシグナリング生成器モジュール１５６は、メモリ１０４に記憶されたソフトウェア１０６を実行するプロセッサ１０２など、様々な手段によってインプリメントされうる。
【００８２】
図１０を参照し、さらに、図１乃至７も参照すると、ネットワークベースの更新を介してワイヤレス通信環境においてフェムトセル近接情報を更新する別のプロセス２００は、示されるステージを含む。しかしながら、プロセス２００は、ただの例であり、限定しない例である。プロセス２００は、例えば、ステージが追加、除去、再配列、結合、および／または、同時に実行されることによって変更されうる。提示および記述されるようなプロセス２００へのさらに別の変更が可能である。
【００８３】
ステージ２０２において、近接情報が取得される（例えば、モバイルデバイス１２と関連付けられた近接性記憶モジュール１２４で）ワイヤレス通信ネットワーク内のフェムトセル２２が識別される。ステージ２０４において、フェムトセル２２に関する近接情報更新シグナリング１８０が、例えば、受信機１５２によって受信される。ステージ２０６において、フェムトセル２２のための維持された近接情報が、ステージ２０４で受信された近接情報更新シグナリング１８０に基づいて更新される（例えば、近接性更新モジュール１２６によって）。
【００８４】
図１、２、３、４、５、６、および／または７に示されたコンポーネント、ステップ、特徴、および／または、機能のうちの１つまたは複数は、再配列されうること、および／または、単一のコンポーネント、ステップ、特徴、または機能に組み合わせされうるか、あるいは、いくつかのコンポーネント、ステップ、または機能に組み込まれうる。さらなるエレメント、コンポーネント、ステップ、および／または、機能は、さらに、本発明の範囲を逸脱することなく追加されうる。図１、２、３、４、５、６、および／または７に示された装置、デバイス、および／または、コンポーネントは、図８、９、および／または１０に記述された方法、特徴、またはステップのうちの１または複数を実行するように構成されうる。本明細書に記述された新しいアルゴリズムは、さらに、効率的に、ソフトウェアでインプリメントされ、および／またはハードウェアに組み込まれうる。
【００８５】
さらに、少なくともいくつかのインプリメンテーションが、フローチャート、フロー図、構造図、または、ブロック図として描写されたプロセスとして記述されていることに注意されたい。フローチャートは動作を順次プロセスとして記述するが、動作の多くは、並列に、または、同時に実行されうる。加えて、動作の順序は再配列されうる。プロセスはその動作が完了すると終了する。プロセスは、方法、機能、手順、サブルーチン、サブプログラム等に対応しうる。プロセスが機能に対応する場合、その終了は、その機能が呼出機能または主要機能に戻ることに対応する。
【００８６】
さらに、実施形態は、ハードウェア、ソフトウェア、ファームウェア、ミドルウェア、マイクロコード、または、そのあらゆる組み合わせによってインプリメントされうる。ソフトウェア、ファームウェア、ミドルウェア、または、マイクロコードでインプリメントされた場合、必要なタスクを実行するためのプログラムコードまたはコードセグメントは、記憶媒体または他の記憶装置のような機械読取可能な媒体に記憶されうる。プロセッサは、必要なタスクを実行しうる。コードセグメントは、手順、機能、サブプログラム、プログラム、ルーチン、サブルーチン、モジュール、ソフトウェアパッケージ、クラス、または、命令、データ構造、またはプログラムステートメントのあらゆる組み合わせを表しうる。コードセグメントは、情報、データ、アーギュメント、パラメータ、または、メモリコンテンツをパスおよび／または受信することによって、別のコードセグメントまたはハードウェア回路に結合されうる。情報、アーギュメント、パラメータ、データ等は、メモリ共有、メッセージパッシング、トークンパッシング、ネットワーク送信等を含む任意の適切な手段を介してパス、転送、または送信されうる。
【００８７】
「機械読取可能な媒体（machine-readable medium）」、「コンピュータ読取可能な媒体（computer-readable medium）」および／または「プロセッサ読取可能な媒体（processor-readable medium）」という用語は、ポータブルまたは固定の記憶デバイス、光記憶デバイス、および、１または複数の命令および／またはデータを記憶、包含、または搬送することができる様々な別の非一時的な媒体を含むがそれらに限定されるわけではない。このように、本明細書に記述された様々な方法は、「機械読取可能な媒体」、「コンピュータ読取可能な媒体」および／または「プロセッサ読取可能な媒体」に記憶されており、１または複数のプロセッサ、機械、および／またはデバイスによって実行されうる命令および／またはデータによって、部分的に、または、完全にインプリメントされうる。
【００８８】
本明細書に開示された例に関して記述された方法またはアルゴリズムは、処理ユニット、プログラミング命令、または他の指示の形態で、直接的にハードウェアに、プロセッサによって実行可能なソフトウェアモジュールに、または、両方の組み合わせに組み込まれ、単一のデバイスに含まれるか、あるいは、複数のデバイスにわたって分散されうる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取外し可能ディスク、ＣＤ−ＲＯＭ、または、当技術分野において周知の記憶媒体のあらゆる他の形態に存在しうる。記憶媒体は、プロセッサが記憶媒体から情報を読み取り、記憶媒体に情報を書き込むことができるように、プロセッサに結合されうる。代替において、記憶媒体はプロセッサに一体化されうる。
【００８９】
当業者はさらに、本明細書に開示された実施形態と関連して記述されている様々な実例となる論理ブロック、モジュール、回路、アルゴリズムステップが電子ハードウェア、コンピュータソフトウェアまたは両方の組み合わせとしてインプリメントされることを認識するであろう。このハードウェアとソフトウェアの互換性を明確に示すために、様々な実例となるコンポーネント、ブロック、モジュール、回路、ステップが、それらの機能性という観点から一般的に上に記述されている。そのような機能性がハードウェアとしてインプリメントされるか、ソフトウェアとしてインプリメントされるかは、特定のアプリケーションとシステム全体に課された設計制約とに依存する。
【００９０】
本明細書に記述された発明の様々な特徴は、本発明の範囲を逸脱することなく、異なるシステムでインプリメントされうる。前述の実施形態は単なる例であり、本発明を限定するものとして解釈されないことに注意されたい。実施形態の記述は、実例となることが企図され、請求範囲を限定することを企図しない。そういうものとして、本明細書の教示は、別のタイプの装置および多数の代替に容易に適応することができ、変更および変形は当業者には明らかであろう。
【図１】
2013533662.tif 000004
【図２】
2013533662.tif 000005
【図３】
2013533662.tif 000006
【図４】
2013533662.tif 000007
【図５】
2013533662.tif 000008
【図６】
2013533662.tif 000009
【図７】
2013533662.tif 000010
【図８】
2013533662.tif 000011
【図９】
2013533662.tif 000012
【図１０】
2013533662.tif 000013
【国際調査報告】
2013533662.tif 000014
2013533662.tif 000015
2013533662.tif 000016